(57)【特許請求の範囲】
【請求項１】
頭部の周囲に沿って形成され、後方に両端部が位置するサイドチューブと、そのサイドチューブの前側部に連通し、前記サイドチューブの前側部から前記頭部に沿って後方へ延びる複数のトップチューブと、前記サイドチューブ及び複数のトップチューブを覆う椀状のクラウンとを備え、
前記サイドチューブ及び複数のトップチューブは内部に入れた流体により膨らんだ状態に維持可能であり、複数の前記トップチューブは、前端部が前記サイドチューブに連通する固定端であり、後端部が前記クラウンに沿って変位可能な自由端である帽子。
【請求項２】
前記サイドチューブは外部に通じ、空気を出し入れする吸排気口を有する請求項１に記載の帽子。
【請求項３】
前記サイドチューブ及び複数のトップチューブは、その内部に吸水して膨らむポリマーが入れられており、前記サイドチューブが外部に通じる注水口を有する請求項１に記載の帽子。
【請求項４】
前記サイドチューブおよびトップチューブは、その内部に配置された配管を有し、その配管は前記サイドチューブまたはトップチューブの内部に通じる流出孔と、外部に通じる注入口とを有する請求項１に記載の帽子。
【請求項５】
前記クラウンは、前記トップチューブに沿って前後方向に延びる複数の短冊状の生地片を有し、複数の前記生地片が幅方向に並んだ状態で連結されたものであり、その連結部のうち少なくとも一箇所は、隣り合う前記生地片の幅方向の一部が重なる状態で着脱可能に連結されたものである請求項１から４のいずれかに記載の帽子。
【請求項６】
前記クラウンが前記サイドチューブとトップチューブとの間、及び隣り合うトップチューブの間の少なくとも一方に配置された空気孔を有する請求項１から５のいずれかに記載の帽子。
【発明の詳細な説明】
【技術分野】
【０００１】
本発明は、衝撃等から頭部を保護する帽子に関する。
【背景技術】
【０００２】
従来から、衝撃等から頭部を保護する帽子としては、クラウンの内側にそのクラウンの形に沿う袋状の空気層が設けられ、その空気層に吸排気手段が設けられたものが知られている（例えば、特許文献１参照）。
【０００３】
特許文献１に記載された帽子は、クラウン内に袋状の空気層が設けられているので、空気層が軽度の衝撃を緩和して、頭部を保護することができる。
【先行技術文献】
【特許文献】
【０００４】
【特許文献１】特開平９−１７６９０７号公報
【発明の概要】
【発明が解決しようとする課題】
【０００５】
特許文献１に記載された帽子は、帽子に対して衝撃が加わったとき、袋状の空気層の弾性、すなわち反発によって衝撃を緩和するものである。このため、衝撃方向からの衝撃は瞬間的に空気層を介して頭部に伝わり、頭部で知覚されるものであり、衝撃を効果的に吸収することができないという問題があった。
【０００６】
そこで、この発明の課題としては、衝撃を分散することにより、衝撃を効果的に吸収する帽子を提供することである。
【課題を解決するための手段】
【０００７】
上記の課題を解決するために、この発明は、頭部の周囲に沿って形成され、後方に両端部が位置するサイドチューブと、そのサイドチューブの前側部に連通し、前記サイドチューブの前側部から前記頭部に沿って後方へ延びる複数のトップチューブと、前記サイドチューブ及び複数のトップチューブを覆う椀状のクラウンとを備え、前記サイドチューブ及び複数のトップチューブは内部に入れた流体により膨らんだ状態に維持可能であり、複数の前記トップチューブは、前端部が前記サイドチューブに連通する固定端であり、後端部が前記クラウンに沿って変位可能な自由端である構成を採用することができる。
【０００８】
この構成によると、クラウンの外側から衝撃が加わると、衝撃箇所付近のトップチューブは、前端部がサイドチューブに固定された状態でクラウンに沿って衝撃方向と異なる方向に変位する。
【０００９】
この構成において、前記サイドチューブとしては外部に通じ、空気を出し入れする吸排気口を有する構成を採用すると、吸排気口から空気を入れることで、サイドチューブ及びトップチューブを流体である空気で膨らませる状態とすることができる。
【００１０】
また、前記サイドチューブ及び複数のトップチューブは、その内部に吸水して膨らむポリマーが入れられており、前記サイドチューブが外部に通じる注水口を有するものである構成を採用してもよい。
【００１１】
この場合、注水口から水を入れると、サイドチューブ及びトップチューブの内部に入れられた吸水して膨らむポリマーが膨らんだ状態となる。吸水して膨らんだポリマーによって、サイドチューブ及びトップチューブの保形性を確保することができる。
【００１２】
さらに、前記サイドチューブおよびトップチューブがその内部に配置された配管を有し、その配管は前記サイドチューブまたはトップチューブの内部に通じる流出孔と、外部に通じる注入口とを有する構成を採用してもよい。
【００１３】
この構成では、例えば、発泡剤や反応剤を混合しつつ液体の樹脂を注入口から圧力をかけた状態で注入すると、その液体の樹脂は配管を通り流出孔から流出してサイドチューブおよびトップチューブ内で発泡する。この液体の樹脂の発泡により、サイドチューブおよびトップチューブの保形性を確保することができる。
【００１４】
前記クラウンは、前記トップチューブに沿って前後方向に延びる複数の短冊状の生地片を有し、複数の前記生地片が幅方向に並んだ状態で連結されたものであり、その連結部のうち少なくとも一箇所は、隣り合う前記生地片の幅方向の一部が重なる状態で着脱可能に連結されたものである構成を採用することができる。
【００１５】
この構成によると、クラウンの連結部の隣り合う生地片の幅方向の一部の重なり幅を調節することができる。
【００１６】
上記構成において、前記クラウンが前記サイドチューブとトップチューブとの間、及び隣り合うトップチューブの間の少なくとも一方に配置された空気孔を有する構成を採用することができる。
【００１７】
この構成によると、クラウンに衝撃が加わった瞬間にクラウンが押し込まれると、クラウンと使用者の頭部との間に存在する空気が空気孔から外部に排出される。
【発明の効果】
【００１８】
この発明は、クラウンの外側から衝撃が加わると、衝撃箇所付近のトップチューブがクラウンに沿って衝撃方向と異なる方向に変位するため、衝撃を効果的に分散しつつ吸収することができる。
【００１９】
また、衝撃の瞬間にクラウンと使用者の頭部との間に存在する空気が空気孔から外部に排出されるため、使用者が衝撃を知覚し難くなる。
【図面の簡単な説明】
【００２０】
【図１】この発明に係る第一実施形態の帽子の斜視図
【図２】（ａ）同上の帽子のサイドチューブ及びトップチューブの平面図、（ｂ）同上の帽子のサイドチューブ及びトップチューブの正面図、（ｃ）同上の帽子のサイドチューブ及びトップチューブの側面図
【図３】同上の帽子の後方から見た斜視図
【図４】（ａ）同上のクラウンの重なり幅の調整前の状態を示す断面図、（ｂ）同上のクラウンの重なり幅の調整後の状態を示す断面図
【図５】同上の帽子の使用状態を示す正面図
【図６】同上の帽子の衝撃を受けた時の状態を示す概略図
【図７】この発明に係る第二実施形態の帽子の斜視図
【図８】同上の帽子の要部を示す斜視図
【図９】同上の帽子のサイドチューブ及びトップチューブの平面図
【図１０】同上のサイドチューブ内の配管と注入口を示す断面図
【発明を実施するための形態】
【００２１】
以下、この発明の第一実施形態に係る帽子を図１〜図６に基づいて説明する。
この実施形態に係る帽子１は、図１、２に示すように、頭部Ｈの周囲に沿って形成され、後方に両端部が位置するサイドチューブ２と、サイドチューブ２の前端部に連通し、頭部Ｈに沿って後方へ延びる複数のトップチューブ３と、サイドチューブ２及び複数のトップチューブ３を覆う椀状のクラウン４とを備える。
【００２２】
また、帽子１は、クラウン４の下部周縁に配置され、サイドチューブ２の周囲に固定された側帯５と、側帯５に固定されたつば６と、側帯５に固定されるあご紐７とを備える。
【００２３】
サイドチューブ２は、両端部が閉塞する可撓性を有する筒体からなり、内部に空気を出し入れする吸排気口８が右側部に設けられている。サイドチューブ２は、吸排気口８から内部に入れた空気により膨らんだ状態で、後方に両端部が位置する一部を切り欠いた環状をなしている。なお、右側または左側とは、つば６を前側に配置した場合における右側または左側を意味し、以下同様とする。
【００２４】
吸排気口８は、サイドチューブ２から外側に突出しており、サイドチューブ２内の空気の排出を防止する逆止弁（図示省略）と吸排気口８を開閉する栓体８ａとを有する。吸排気口８は、可撓性を有する樹脂から形成され、これをつまむことで、逆止弁が開弁状態となり、サイドチューブ２内の空気が排出可能となる。
【００２５】
トップチューブ３は、後端部が閉塞する可撓性を有する筒体からなり、前端部がサイドチューブ２の前側部に間隔をおいて五本連通している。それぞれのトップチューブ３は、サイドチューブ２の前側部から使用者の頭部Ｈに沿って後方に向かって延び、前後方向中央部分を頂部として湾曲している。
【００２６】
それぞれのトップチューブ３のうち、左右方向中央のものがもっとも長くかつ頂部の高さが高く形成されており、左右方向外側に配置されるに従って、長さがより短くかつ頂部の高さがより低く形成されている。
【００２７】
それぞれのトップチューブ３は、前端部がサイドチューブ２の前側部に連通する固定端であり、サイドチューブ２に対して固定されていない後端部が、クラウン４に沿って左右方向に変位可能な自由端となっている。
【００２８】
また、それぞれのトップチューブ３は、吸排気口８から入れられた空気がサイドチューブ２内を経て内部に送り込まれるようになっている。吸排気口８からサイドチューブ２内に入れた空気により、サイドチューブ２及び複数のトップチューブ３は膨らんだ状態となり、吸排気口８を栓体８ａで閉じることでその膨らんだ状態で維持可能となる。
【００２９】
サイドチューブ２及び複数のトップチューブ３の材質としては、可撓性を有するものが使用可能であり、例えば、ポリエチレン、ポリ塩化ビニル、ポリプロピレン、ポリエチレンテレフタレートまたは、ナイロン等が適用される。
【００３０】
クラウン４は、図１に示すように、複数のトップチューブ３に沿って前後方向に延びる複数の短冊状の生地片９、９を有し、それぞれの生地片９、９が幅方向に並んだ状態で椀状に連結されたものである。
【００３１】
それぞれの生地片９は、柔軟性を有する短冊状のシート体からなり、長さ方向の中央部分が最も幅広に形成され、その中央部分から長さ方向外側に向かって幅が小さくなるように、幅方向両縁が湾曲している。
【００３２】
それぞれの生地片９は、幅方向に複数並べた状態で幅方向の両縁部同士が接着剤により連結されている。それぞれの生地片９の連結部のうち左右方向中央付近の一箇所の連結部９ａでは、隣り合う生地片９、９の幅方向の一部が重なる状態で連結されている。
【００３３】
連結部９ａは、図３に示すように、クラウン４の前後方向の全長にわたって形成されている。連結部９ａでは、隣り合う生地片９、９の重なる幅方向の一部が粘着テープ１０により着脱可能に貼り合わせられている。
【００３４】
それぞれの生地片９は、前後方向に並んで形成された複数の空気孔１１を有する。それぞれの空気孔１１は、サイドチューブ２とトップチューブ３の間、及び隣り合うトップチューブ３、３の間に配置されている。
【００３５】
空気孔１１は、クラウン４に衝撃が加わり、クラウン４が使用者の頭部Ｈに向かって内側に撓んだ際、使用者の頭部Ｈとクラウン４との間に存在する空気を排出させるものである。
【００３６】
椀状のクラウン４は、サイドチューブ２及び複数のトップチューブ３を覆う状態でこれらに着脱可能に被せられ、かつ交換することができる。交換可能なクラウン４を形成する生地片９の材質としては、柔軟性を有し、外部からの衝撃に対して破れ難く、安価なものが好ましく、例えば、不織布または合成ゴム、ポリエチレン、ポリ塩化ビニル、ポリプロピレン、ポリエチレンテレフタレート若しくはナイロン等のシート体を使用することができる。
【００３７】
クラウン４は、その周縁の下部に配置された側帯５を有する。側帯５は、後方に両端部が配置されており、後方において一部が切り欠かれた環状をなしている。側帯５は、サイドチューブ２の外周に沿って固定され、両端部の位置がサイドチューブ２の両端部と一致している。側帯５は、その両端部の間隔がサイドチューブ２の両端部の間隔の変動に追従する。
【００３８】
側帯５は、両端部にわたって貼り付けられた再剥離可能なテープ１３を有し、テープ１３によりその両端部の間隔が維持される。側帯５の両端部の間隔を調整し、テープ１３を貼り付けることで、サイドチューブ２とともに、使用者の頭部Ｈの周囲長さに対応可能となっている。
【００３９】
また、側帯５は、前側部に固定されたつば６と左側部に固定されたあご紐７とを有している。つば６は、側帯５の前側部に対して上部に固定されており、前方に突出する。あご紐７は、一端部が側帯５の左側部に固定され、他端部にサイドチューブ２の吸排気口８に係合する係合孔１２が長さ方向に並んで設けられている。
【００４０】
このように構成される帽子１は、一時的に頭部を保護する必要のある状況での使用、例えば、工場若しくはクリーンルーム内の見学時での使用、病院、介護施設、若しくはレジャー施設内での使用、または災害時での使用等が想定される。
【００４１】
また、この実施形態の帽子１は、サイドチューブ２及びトップチューブ３が、内部に吸排気口８から空気が入れられ、栓体８ａで吸排気口８が閉じられ、膨らんだ状態で維持されている。そして、図５に示すように、帽子１を被り、あご紐７をあごに掛けて、係合孔１２に吸排気口８を通して、あご紐７を掛け止めする。
【００４２】
このように帽子１を被ると、図４に示すように、使用者の頭部Ｈとクラウン４の間にサイドチューブ２及びトップチューブ３が介在する状態となる。この状態で、図６に示すように、隣り合うトップチューブ３の間のクラウン４の外側から衝撃（図６の白抜き矢印）が加わった場合、クラウン４が使用者の頭部Ｈに向かって内側に押し込まれる。
【００４３】
このとき、衝撃箇所付近の隣り合うトップチューブ３、３は、前端部がサイドチューブに連通する固定端であり、後端部がクラウン４に沿って左右方向に変位可能な自由端である。このため、衝撃が加わると、衝撃箇所付近の隣り合うトップチューブ３は、衝撃を受け止めつつ、そのすき間が大きくなる方向に変位する（図６の実線参照）。
【００４４】
このトップチューブ３の変位によって、衝撃方向からの衝撃を分散して逃がすため、瞬間的に使用者の頭部Ｈで知覚され難くなり、効果的に衝撃を吸収することができる。
【００４５】
また、クラウン４に衝撃が加わった瞬間に、クラウン４が押し込まれると、クラウン４と使用者の頭部Ｈとの間に存在する空気が空気孔１１から外部に排出される。このため、衝撃が空気を介して使用者の頭部Ｈで瞬間的に知覚され難くなる。
【００４６】
さらに、衝撃箇所がサイドチューブ２とトップチューブ３との間であっても、トップチューブ３がサイドチューブ２から離れるように変位する。このため、衝撃箇所が隣り合うトップチューブ３の間である場合と同様に、効果的に衝撃を吸収することができる。
【００４７】
また、この実施形態の帽子１は、使用者の頭部Ｈの周囲長さに応じて、サイドチューブ２の内周長さ（両端部の間隔を含むサイドチューブ２の内周部の長さ）を調節することができる。
【００４８】
この調節は、例えば、図４（ａ）、（ｂ）に示すように、上述したクラウン４の連結部９ａにおいて、隣り合う生地片９、９の幅方向の重なり幅をＷ１からＷ２に大きくすることでなされる。そして、連結部９ａの隣り合う生地片９、９を粘着テープ１０により連結する。
【００４９】
重なり幅をＷ１からＷ２に大きくすることにより、サイドチューブ２の左右方向両側部分が互いに内向きに変位して、サイドチューブ２の両端部の間隔が狭くなる。これにより、サイドチューブ２の内周長さを使用者の頭部Ｈの周囲長さに応じて調整することができる。
【００５０】
なお、クラウン４の空気孔１１は、サイドチューブ２とトップチューブ３の間、及び隣り合うトップチューブ３、３の間の少なくとも一方に配置されていればよい。この実施形態では、衝撃時、衝撃箇所により近い空気孔１１からの空気の排出が可能となり、衝撃が空気を介して使用者の頭部Ｈで瞬間的にさらに知覚され難くなって好ましい。
【００５１】
クラウン４において、隣り合う生地片９、９の幅方向の一部が重なるようにした連結部９ａは、一箇所に限られず、生地片９の枚数に応じて、複数箇所設けることができる。要は、クラウン４は、その連結部９ａを少なくとも一箇所有していればよい。
【００５２】
また、トップチューブ３の本数は５本であるが、これに限られず、クラウン４に衝撃が加わった際、そのトップチューブ３がクラウン４に沿って変位可能であって、衝撃を効果的に吸収できる本数、少なくとも２本以上であればよい。
【００５３】
なお、この第一実施形態において、例えば、サイドチューブ２およびトップチューブ３としては、その内部に吸水して膨らむポリマーが入れられているものを採用することができる。
【００５４】
この場合では、サイドチューブ２およびトップチューブ３は、注水口としての吸排気口８から水を入れると、吸水して膨らむポリマーが膨らんだ状態となる。吸水して膨らんだポリマーによって、サイドチューブ２及びトップチューブ３の保形性を確保することができる。
【００５５】
ここで、吸水して膨らむポリマーとしては、例えば、ポリアクリル酸ナトリウムなど、公知の吸水性ポリマーを使用することができる。
【００５６】
次にこの発明の第二実施形態を図７〜１０に基づいて説明する。この実施形態に係る帽子は、サイドチューブ２およびトップチューブ３がその内部に配置された配管２０を有する点、及び配管２０がサイドチューブ２またはトップチューブ３の内部に通じる流出孔２１ａ、２２ａと、吸排気口８の代わりに設けられて、外部に通じる注入口３０とを有する点で相違する。その他の構成については、第一実施形態の構成と同じと考えられるものは、同じ符号を付してその説明を省略する。
【００５７】
この実施形態のサイドチューブ２は、その内部の全長にわたって配置されたサイド用配管２１を有する。それぞれのトップチューブ３は、その内部に全長にわたって配置され、サイド用配管２１の前側部に連通するトップ用配管２２を有する。
【００５８】
サイド用配管２１及びトップ用配管２２は、サイドチューブ２およびトップチューブ３の内部に配置された配管２０を構成する。サイド用配管２１は、長さ方向に並ぶ複数の流出孔２１ａと、外部に通じる注入口３０を有する。それぞれの流出孔２１ａは、サイドチューブ２の内部に通じている。
【００５９】
トップ用配管２２は、サイド用配管２１と同様に、長さ方向に並ぶ複数の流出孔２２ａを有し、それぞれの流出孔２２ａは、トップチューブ３の内部に通じている。
【００６０】
配管２０を構成するサイド用配管２１およびトップ用配管２２の材質としては、ポリエチレン、ポリ塩化ビニル、ポリプロピレン、ポリエチレンテレフタレート、ナイロン、ガラスクロスまたはシリコンが適用可能である。
【００６１】
それぞれのトップ用配管２２は、その前端縁部をサイド用配管２１の前側部に形成した開口部の周縁に接着することにより、サイド用配管２１の前側部に連通している。トップ用配管２２の接着方法としては、例えば、熱溶着、接着剤または粘着剤を用いたコンタクト接着、再活性接着（あらかじめ被接着部材に塗布した接着剤を乾燥させ、接着時に水や溶剤で濡らして接着させること）を採用することができる。さらに、接着時において、必要に応じて加圧、加熱してもよい。
【００６２】
この実施形態は、以上のように構成され、その使用方法を説明する。この実施形態の帽子１は、サイド用配管２１の注入口３０から、発泡剤や反応剤を混合しつつ液状の樹脂Ｒをポンプ装置（図示省略）により、圧力を掛けた状態で注入する。
【００６３】
圧力を掛けた状態で注入される液体の樹脂Ｒは、サイド用配管２１及びトップ用配管２２を通り、流出孔２１ａ、２２ａから流出してサイドチューブ２およびトップチューブ３内で発泡する。この液体の樹脂Ｒの発泡により、サイドチューブ２およびトップチューブ３の保形性を確保することができる。
【００６４】
ここで、液体の樹脂Ｒとしては、ポリプロピレン、ポリスチレン、ポリウレタン、あるいは、それを溶剤に溶かしたものを使用することができる。発泡剤、反応剤としては、液状の樹脂Ｒに対応した公知のものを使用することができる。
【００６５】
なお、それぞれのトップ用配管２２は、サイド用配管２１の前側部に連通しているが、サイド用配管２１に連通しないものとしてもよい。この場合、それぞれのトップ用配管２２にも注入口３０を設けて、注入口３０から発泡剤や反応剤を混合しつつ液状の樹脂Ｒを圧力を掛けた状態で注入する。
【符号の説明】
【００６６】
１  帽子
２  サイドチューブ
３  トップチューブ
４  クラウン
５  側帯
６  つば
７  あご紐
８  吸排気口
８ａ  栓体
９  生地片
９ａ  連結部
１０  粘着テープ
１１  空気孔
１２  係合孔
１３  テープ
２０  配管
２１  サイド用配管
２１ａ  流出孔
２２  トップ用配管
２２ａ  流出孔
３０  注入口
Ｈ  頭部
Ｒ  樹脂
【図１】
0006755170.tif 000002
【図２】
0006755170.tif 000003
【図３】
0006755170.tif 000004
【図４】
0006755170.tif 000005
【図５】
0006755170.tif 000006
【図６】
0006755170.tif 000007
【図７】
0006755170.tif 000008
【図８】
0006755170.tif 000009
【図９】
0006755170.tif 000010
【図１０】
0006755170.tif 000011